(57)【特許請求の範囲】
【請求項１】
表示画面を有した表示装置と、
前記表示装置の少なくとも一部が収容され、前記表示装置の前記表示画面とは反対側を覆うとともに、通気口が設けられた壁部を有した筐体と、
前記筐体から一部が露出された第一コネクタと、
を備えた外部電子機器を支持するスタンドであって、
前記第一コネクタと着脱可能に接続される第二コネクタと、
前記第一コネクタと前記第二コネクタとが電気的に接続された状態で、前記外部電子機器が載置される載置面部と、
前記外部電子機器が前記載置面部に載置された場合に前記筐体の一端部が前記載置面部に近い側に位置されるとともに前記筐体の他端部が前記載置面部から遠い側に位置された状態に、前記外部電子機器の前記筐体の少なくとも前記表示画面とは反対側を支持した支持部と、
を備え、
前記支持部は、前記載置面部から前記一端部と前記他端部との中間位置または当該中間位置より前記他端部側の位置まで延び、
前記壁部に、前記スタンドの前記他端部側の端部より前記他端部側で露出された前記通気口が設けられ、
前記通気口の少なくとも一つを隙間をあけて覆う、スタンド。
【請求項２】
表示画面を有した表示装置と、
前記表示装置の少なくとも一部が収容され、前記表示装置の前記表示画面とは反対側を覆うとともに、通気口が設けられた壁部を有した筐体と、
前記筐体から一部が露出された第一コネクタと、
を備えた外部電子機器を支持するスタンドであって、
前記第一コネクタと着脱可能に接続される第二コネクタと、
前記第一コネクタと前記第二コネクタとが電気的に接続された状態で、前記外部電子機器が載置される載置面部と、
前記外部電子機器が前記載置面部に載置された場合に前記筐体の一端部が前記載置面部に近い側に位置されるとともに前記筐体の他端部が前記載置面部から遠い側に位置された状態に、前記外部電子機器の前記筐体の少なくとも前記表示画面とは反対側を支持した支持部と、
を備え、
前記支持部は、前記載置面部から前記一端部と前記他端部との中間位置または当該中間位置より前記他端部側の位置まで延び、
前記壁部に、前記スタンドの前記他端部側の端部より前記他端部側で露出された前記通気口が設けられ、
前記通気口を露出させる開口部が設けられた、スタンド。
【請求項３】
表示画面を有した表示装置と、
前記表示装置の少なくとも一部が収容され、前記表示装置の前記表示画面とは反対側を覆うとともに、通気口が設けられた壁部を有した筐体と、
前記筐体から一部が露出された第一コネクタと、
を備えた外部電子機器を支持するスタンドであって、
前記第一コネクタと着脱可能に接続される第二コネクタと、
前記第一コネクタと前記第二コネクタとが電気的に接続された状態で、前記外部電子機器が載置される載置面部と、
前記外部電子機器が前記載置面部に載置された場合に前記筐体の一端部が前記載置面部に近い側に位置されるとともに前記筐体の他端部が前記載置面部から遠い側に位置された状態に、前記外部電子機器の前記筐体の少なくとも前記表示画面とは反対側を支持した支持部と、
を備え、
前記支持部は、前記載置面部から前記一端部と前記他端部との中間位置または当該中間位置より前記他端部側の位置まで延び、
前記壁部に、前記スタンドの前記他端部側の端部より前記他端部側で露出された前記通気口が設けられ、
前記通気口側の第一開口縁部と当該通気口側とは反対側の第二開口縁部との間で延びた開口部が設けられた、スタンド。
【請求項４】
表示画面を有した表示装置と、
前記表示装置の少なくとも一部が収容され、前記表示装置の前記表示画面とは反対側を覆うとともに、通気口が設けられた壁部を有した筐体と、
前記筐体から一部が露出された第一コネクタと、
を備えた外部電子機器を支持するスタンドであって、
前記第一コネクタと着脱可能に接続される第二コネクタと、
前記第一コネクタと前記第二コネクタとが電気的に接続された状態で、前記外部電子機器が載置される載置面部と、
前記外部電子機器が前記載置面部に載置された場合に前記筐体の一端部が前記載置面部に近い側に位置されるとともに前記筐体の他端部が前記載置面部から遠い側に位置された状態に、前記外部電子機器の前記筐体の少なくとも前記表示画面とは反対側を支持した支持部と、
を備え、
前記支持部は、前記載置面部から前記一端部と前記他端部との中間位置または当該中間位置より前記他端部側の位置まで延び、
前記壁部に、前記スタンドの前記他端部側の端部より前記他端部側で露出された前記通気口が設けられ、
前記壁部は前記表示画面に対して傾斜した部分を有し、
前記傾斜した部分に、前記通気口の少なくとも一つが設けられた、スタンド。
【請求項５】
表示画面を有した表示装置と、
前記表示装置の少なくとも一部が収容され、前記表示装置の前記表示画面とは反対側を覆うとともに、通気口が設けられた壁部を有した筐体と、
前記筐体から一部が露出された第一コネクタと、
を備えた電子機器であって、
前記第一コネクタと着脱可能に接続される第二コネクタと、
前記第一コネクタと前記第二コネクタとが電気的に接続された状態で、前記電子機器が載置される載置面部と、
前記電子機器が前記載置面部に載置された場合に前記筐体の一端部が前記載置面部に近い側に位置されるとともに前記筐体の他端部が前記載置面部から遠い側に位置された状態に、前記電子機器の前記筐体の少なくとも前記表示画面とは反対側を支持し、前記載置面部から前記一端部と前記他端部との中間位置または当該中間位置より前記他端部側の位置まで延びた支持部と、
を備えたスタンド、
に支持され、
前記壁部に、前記スタンドの前記他端部側の端部より前記他端部側で露出された前記通気口が設けられ、
前記通気口の少なくとも一つが前記スタンドに隙間をあけて覆われた、電子機器。
【請求項６】
表示画面を有した表示装置と、
前記表示装置の少なくとも一部が収容され、前記表示装置の前記表示画面とは反対側を覆うとともに、通気口が設けられた壁部を有した筐体と、
前記筐体から一部が露出された第一コネクタと、
を備えた電子機器であって、
前記第一コネクタと着脱可能に接続される第二コネクタと、
前記第一コネクタと前記第二コネクタとが電気的に接続された状態で、前記電子機器が載置される載置面部と、
前記電子機器が前記載置面部に載置された場合に前記筐体の一端部が前記載置面部に近い側に位置されるとともに前記筐体の他端部が前記載置面部から遠い側に位置された状態に、前記電子機器の前記筐体の少なくとも前記表示画面とは反対側を支持し、前記載置面部から前記一端部と前記他端部との中間位置または当該中間位置より前記他端部側の位置まで延びた支持部と、
を備えたスタンド、
に支持され、
前記壁部に、前記スタンドの前記他端部側の端部より前記他端部側で露出された前記通気口が設けられ、
前記スタンドに設けられた開口部によって、前記通気口が露出された、電子機器。
【請求項７】
表示画面を有した表示装置と、
前記表示装置の少なくとも一部が収容され、前記表示装置の前記表示画面とは反対側を覆うとともに、通気口が設けられた壁部を有した筐体と、
前記筐体から一部が露出された第一コネクタと、
を備えた電子機器であって、
前記第一コネクタと着脱可能に接続される第二コネクタと、
前記第一コネクタと前記第二コネクタとが電気的に接続された状態で、前記電子機器が載置される載置面部と、
前記電子機器が前記載置面部に載置された場合に前記筐体の一端部が前記載置面部に近い側に位置されるとともに前記筐体の他端部が前記載置面部から遠い側に位置された状態に、前記電子機器の前記筐体の少なくとも前記表示画面とは反対側を支持し、前記載置面部から前記一端部と前記他端部との中間位置または当該中間位置より前記他端部側の位置まで延びた支持部と、
を備え、前記通気口側の第一開口縁部と通気口側とは反対側の第二開口縁部との間で延びた開口部が設けられたスタンド、
に支持され、
前記壁部に、前記スタンドの前記他端部側の端部より前記他端部側で露出された前記通気口が設けられた、電子機器。
【請求項８】
表示画面を有した表示装置と、
前記表示装置の少なくとも一部が収容され、前記表示装置の前記表示画面とは反対側を覆うとともに、通気口が設けられた壁部を有した筐体と、
前記筐体から一部が露出された第一コネクタと、
を備えた電子機器であって、
前記第一コネクタと着脱可能に接続される第二コネクタと、
前記第一コネクタと前記第二コネクタとが電気的に接続された状態で、前記電子機器が載置される載置面部と、
前記電子機器が前記載置面部に載置された場合に前記筐体の一端部が前記載置面部に近い側に位置されるとともに前記筐体の他端部が前記載置面部から遠い側に位置された状態に、前記電子機器の前記筐体の少なくとも前記表示画面とは反対側を支持し、前記載置面部から前記一端部と前記他端部との中間位置または当該中間位置より前記他端部側の位置まで延びた支持部と、
を備えたスタンド、
に支持され、
前記壁部に、前記スタンドの前記他端部側の端部より前記他端部側で露出された前記通気口が設けられ、
前記壁部は前記表示画面に対して傾斜した部分を有し、
前記傾斜した部分に、前記通気口の少なくとも一つが設けられた、電子機器。
【発明の詳細な説明】
【技術分野】
【０００１】
本発明の実施形態は、スタンドおよび電子機器に関する。
【背景技術】
【０００２】
従来、電子機器の筐体の背面を着脱可能に支持するスタンドが知られている。
【先行技術文献】
【特許文献】
【０００３】
【特許文献１】特開２００６−４３９６号公報
【発明の概要】
【発明が解決しようとする課題】
【０００４】
この種の装置では、筐体を支持するスタンドによって、筐体をより確実に支持しつつ、筐体に設けられた通気口での通気が抑制されないことが望まれていた。
【０００５】
そこで、本発明の実施形態は、一例として、筐体を支持するスタンドによって、筐体に設けられた通気口での通気が抑制されにくいスタンドおよび電子機器を得ることを、目的の一つとする。
【課題を解決するための手段】
【０００６】
実施形態にかかるスタンドは、一例として、表示装置と、回路基板と、筐体と、第一コネクタと、第二コネクタと、載置面部と、支持部と、を備え、外部電子機器を支持する。表示装置は、表示画面を有した。回路基板は、表示装置の表示画面とは反対側に位置された。筐体は、表示装置と回路基板とが収容され、表示装置の表示画面とは反対側を覆うとともに、通気口が設けられた壁部を有した。第一コネクタは、筐体から一部が露出された。第二コネクタは、第一コネクタと着脱可能に接続された。載置面部は、第一コネクタと第二コネクタとが電気的に接続された状態で、外部電子機器が載置された。支持部は、外部電子機器が載置面部に載置された場合に筐体の一端部が載置面部に近い側に位置されるとともに筐体の他端部が載置面部から遠い側に位置された状態に、外部電子機器の筐体の少なくとも表示画面とは反対側を支持した。支持部は、載置面部から一端部と他端部との中間位置または当該中間位置より他端部側の位置まで延び、壁部に、スタンドの他端部側の端部より他端部側で露出された通気口が設けられた。また、スタンドは、通気口の少なくとも一つを隙間をあけて覆った。
【図面の簡単な説明】
【０００７】
【図１】図１は、実施形態にかかるスタンドにテレビジョン受像機が保持された状態の一例が示された斜視図である。
【図２】図２は、実施形態にかかるテレビジョン受像機の一例が示された斜視図である。
【図３】図３は、実施形態にかかるテレビジョン受像機の一例が示された正面図である。
【図４】図４は、実施形態にかかるテレビジョン受像機の一例が示された背面図である。
【図５】図５は、実施形態にかかるテレビジョン受像機の一例が示された側面図である。
【図６】図６は、実施形態にかかるテレビジョン受像機の一例が示された分解斜視図である。
【図７】図７は、実施形態にかかるテレビジョン受像機の内部の構成の一例が示された平面図である。
【図８】図８は、図３のVIII−VIII断面図である。
【図９】図９は、実施形態にかかるスタンドにテレビジョン受像機が保持された状態の一例が示された側面図である。
【図１０】図１０は、実施形態にかかるスタンドにテレビジョン受像機が保持された状態の一例が示された背面図である。
【図１１】図１１は、第１実施形態にかかるスタンドの一例が示された上側から見た斜視図である。
【図１２】図１２は、第１実施形態にかかるスタンドの一例が示された上側の別の角度から見た斜視図である。
【図１３】図１３は、図１のXIII−XIII断面図である。
【図１４】図１４は、図１のXIV−XIV断面図である。
【図１５】図１５は、第１実施形態にかかるスタンドの一部の一例が示された斜視図である。
【図１６】図１６は、第１実施形態にかかるスタンドの一例が示された分解斜視図である。
【図１７】図１７は、図１のXVII−XVII断面図である。
【図１８】図１８は、図１７の一部が拡大された図である。
【図１９】図１９は、第１実施形態にかかるスタンドの内部構成の一部の一例が示された斜視図である。
【図２０】図２０は、第１変形例にかかるスタンドにテレビジョン受像機が保持された状態の一例が示された背面図である。
【図２１】図２１は、第２変形例にかかるスタンドにテレビジョン受像機が保持された状態の一例が示された背面図である。
【図２２】図２２は、第３変形例にかかるスタンドにテレビジョン受像機が保持された状態の一例が示された側面図である。
【図２３】図２３は、第４変形例にかかるスタンドにテレビジョン受像機が保持された状態の一例が示された斜視図である。
【図２４】図２４は、第５変形例にかかるスタンドにテレビジョン受像機が保持された状態の一例が示された正面図である。
【図２５】図２５は、第６変形例にかかるスタンドにテレビジョン受像機が保持された状態の一例が示された側方から見た断面図である。
【発明を実施するための形態】
【０００８】
以下の例示的な複数の実施形態および変形例には、同様の構成要素が含まれている。よって、以下では、同様の構成要素には共通の符号が付されるとともに、重複する説明が省略される。また、各図では、便宜上、方向（Ｘ方向、Ｙ方向、Ｚ方向）が示されている。Ｘ方向は、テレビジョン受像機の表示画面に対する正面視での長手方向、Ｙ方向は、表示画面に対する正面視での短手方向、Ｚ方向は表示画面に対する正面視での前後方向（奥行方向、筐体の厚さ方向）である。Ｘ方向、Ｙ方向、およびＺ方向は、相互に直交している。
【０００９】
また、以下の実施形態では、電子機器がテレビジョン受像機として構成された場合が例示されるが、本実施形態にかかる電子機器は、これらには限定されない。本実施形態にかかる電子機器は、例えば、タブレット型や、スレート型、ノート型、デスクトップ型等のパーソナルコンピュータや、スマートフォン、スマートテレビ、スマートブック、携帯電話機、ＰＤＡ（personal digital assistant）、映像表示装置、テレビ電話機等の種々の電子機器として構成することができる。
【００１０】
＜第１実施形態＞
本実施形態では、一例として、図１に示されるように、支持部の一例であるスタンド２に、電子機器の一例であるテレビジョン受像機１が装着されて、テレビジョン受像機システム１００（電子機器システム）が構成される。本実施形態では、スタンド２（支持部）は、テレビジョン受像機１（電子機器）が接続された場合に、例えば、そのテレビジョン受像機１用の、すなわち、テレビジョン受像機１内の回路等に電気的に接続されたコネクタが付加されたり、当該コネクタの数が増えたりする等、テレビジョン受像機１が有していない機能を付加したり、テレビジョン受像機１が有している機能を拡張したり増大したりすることができる。すなわち、スタンド２（支持部）は、テレビジョン受像機１（電子機器）に対応した機能拡張装置の一例である。
【００１１】
また、スタンド２は、表示装置４が収容されたテレビジョン受像機１の筐体３を支持する。すなわち、スタンド２は、テレビジョン受像機１の支持装置（支持台、ドッキングステーション、電子機器）の一例である。また、スタンド２は、表示装置４の表示画面４ａの角度を調節可能な機構（図１には示されず）を備えることができる。その場合、スタンド２は、表示画面４ａ（表示装置４が収容された筐体３）の角度調整装置の一例である。
【００１２】
（テレビジョン受像機（電子機器））
テレビジョン受像機１の筐体３は、本実施形態では、一例として、図１〜４に示されるように、正面視および背面視では矩形状（本実施形態では、一例として長方形状）に構成されている。また、筐体３は、本実施形態では、一例として、図２，５に示されるように、前後方向に薄い扁平な直方体状に構成されている。筐体３は、前面３ａ（正面、面、第一面、第一面部）とこの反対側の後面３ｂ（背面、面、第二面、第二面部）と、を有する。前面３ａと後面３ｂとは略並行している。また、筐体３は、図３，４に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１３】
また、筐体３は、前面３ａを有する壁部３ｋ（第一壁部、第一部分、プレート、フレーム、前壁部、表壁部、天壁部）と、後面３ｂを有する壁部３ｍ（第二壁部、第二部分、プレート、後壁部、裏壁部、底壁部）と、を有する。壁部３ｋ，３ｍは、矩形状（本実施形態では、一例として長方形状）である。また、筐体３は、壁部３ｋと壁部３ｍとの間に亘った側面３ｐ（面、周面、第三面）を有する四つの壁部３ｎ（第三壁部、第三部分、プレート、側壁部、端壁部、立壁部、亘部）を有する。壁部３ｋには、一例としては矩形状の開口部３ｒが設けられている。
【００１４】
さらに、筐体３は、複数の部品（分割体）が組み合わせられて構成されることができる。筐体３は、本実施形態では、一例として、少なくとも壁部３ｋを含む第一部材３Ｆｒ（第一部分、前側部材、カバー）と、少なくとも壁部３ｍを含む第二部材３Ｒｒ（第二部分、後側部材、ベース、ボトム）とを有する。壁部３ｎは、第一部材３Ｆｒおよび第二部材３Ｒｒのうち少なくともいずれか一方（例えば、第二部材３Ｒｒ）に含まれる。また、本実施形態では、図６，８に示されるように、筐体３は、第一部材３Ｆｒおよび第二部材３Ｒｒとは別に、これらの間に位置した第三部材３Ｍｄ（第三部分、中間部材、隔部材、障壁部材、壁部材、介在部材、インナプレート、ミドルプレート、ミドルフレーム）を有する。壁部３ｎの一部は、第三部材３Ｍｄに含まれることができる。筐体３は、金属材料や、合成樹脂材料等で構成されることができる。一例として、第二部材３Ｒｒおよび第三部材３Ｍｄは、比較的剛性の高い材料（例えば、マグネシウム合金等の金属材料等）で構成されることができ、第一部材３Ｆｒは、比較的剛性の低い材料（第二部材３Ｒｒおよび第三部材３Ｍｄより剛性の低い材料、例えば合成樹脂材料等）で構成されることができる。なお、第一部材３Ｆｒ、第二部材３Ｒｒ、および第三部材３Ｍｄには、リブ等の壁部（突出部、突出壁部）が設けられることができる。壁部により、筐体３の剛性が高くなりやすい。また、第三部材３Ｍｄには、貫通孔等の開口部が設けられることができる。開口部により、筐体３をより軽量に構成することができる。
【００１５】
また、本実施形態では、一例として、図５に示されるように、長手方向を横向きにした使用状態で下側または手前側（ユーザに近い側）となる第一部３Ｂａの厚さが、当該使用状態で上側または奥側（ユーザから遠い側）となる第二部３Ｂｂの厚さより薄い。このため、机等の載置面Ｐ上に載せて使用する状態では、筐体３の前面３ａおよび表示画面４ａの載置面Ｐ（水平面）からの高さが、手前側（下側）から奥側（上側）に向かうにつれて、高くなる。よって、本実施形態によれば、一例としては、テレビジョン受像機１に対して図５の左側に位置したユーザにとって、表示画面４ａが所謂チルトの状態となり、ユーザが表示画面４ａを見やすいという利点がある。図５の状態での表示画面４ａの載置面Ｐとの角度（鈍角側）は、１３５°以上でありかつ１８０°未満であることができる。本実施形態では、一例として、筐体３の後面３ｂに複数の突出部３ｖが設けられている。図５から明らかとなるように、図５の右側の第二部３Ｂｂに位置された突出部３ｖの先端部分と表示画面４ａとの距離は、図５の左側の第一部３Ｂａに位置された突出部３ｖの先端部分と表示画面４ａとの距離より長い。本実施形態では、図５の左側の突出部３ｖ（の先端部分）は第一接触部の一例であり、図５の右側の突出部３ｖ（の先端部分）は第二接触部の一例である。
【００１６】
そして、筐体３には、部品１６を出入可能に収容した部品収容部１７が設けられている。部品収容部１７の開口部１７ａは、本実施形態では、一例として、端部３ｄに開口している。この開口部１７ａは、いずれかの使用姿勢（上述の例では、端部３ｃが上となる第一姿勢、または端部３ｄが上となる第二姿勢）で上側となり、かつ非使用姿勢では下側とならない端部３ｄに設けられている。このような構成によれば、使用姿勢では、開口部１７ａが上側に位置される。よって、一例としては、部品１６が部品収容部１７から重力の作用によって脱落するのを抑制しやすくなる。部品１６は、具体的には、例えば、スタイラス、スタイラスペン、ペン、タッチペン等である。
【００１７】
また、本実施形態では、一例として、図３に示されるように、バッテリ１８と、表示装置４とが、筐体３の厚さ方向には重ならず、厚さ方向と直交する方向（前面３ａまたは後面３ｂに沿う方向、Ｘ方向またはＹ方向、本実施形態では一例として、Ｙ方向）に並んで配置されている。よって、一例としては、バッテリ１８と表示装置４とが筐体３の厚さ方向に重なった場合に比べて、筐体３をより薄く構成することができる。また、一例としては、バッテリ１８と表示装置４とが筐体３の厚さ方向に重なった場合に比べて、バッテリ１８をより厚くしやすくなり、ひいては、バッテリ１８の単位体積あたりの容量を高めやすくなる。また、図５に示されるように、本実施形態では、筐体３は、薄い第一部３Ｂａと、厚い第二部３Ｂｂとを有している。バッテリ１８を収容するバッテリ収容部３ｓ（バッテリ支持部）は、厚い第二部３Ｂｂの端部３ｃに設けられている。よって、一例としては、バッテリ収容部３ｓが第一部３Ｂａに設けられた場合に比べて、バッテリ１８を厚くしやすくなり、ひいては、バッテリ１８の単位体積あたりの蓄電容量を高めやすくなる。
【００１８】
また、本実施形態では、一例として、バッテリ収容部３ｓが設けられた端部３ｃと反対側の端部３ｅが、スタンド２に支持される。よって、一例としては、作業者（ユーザ等）は、テレビジョン受像機１がスタンド２に支持された状態で、バッテリ１８を筐体３に着脱することができる。また、端部３ｅには、図２に示されるように、スタンド２のコネクタ４３（図１１，１５等参照）と接続されるコネクタ１９が設けられている。よって、一例としては、バッテリ収容部３ｓおよびコネクタ１９が、相互に干渉することなく、筐体３に設けられやすい。なお、端部３ｅには、スピーカカバー３ｔも露出している。コネクタ１９およびスピーカカバー３ｔは、端部３ｅの壁部３ｎに設けられた開口部３ｕを介して露出している。コネクタ１９は、第一コネクタの一例である。
【００１９】
また、本実施形態では、一例として、図２，３，５等に示されるように、筐体３の前面３ａや側面３ｐには、操作部２０やコネクタ２１が設けられている。操作部２０は、押しボタンや、押しスイッチ、スライドスイッチ、ポインティングデバイス等であることができる。コネクタ２１は、電源ケーブル用のコネクタや、ＵＳＢコネクタ、イヤホンやマイクのコネクタ等である。操作部２０やコネクタ２１は、筐体３の壁部３ｋ，３ｎに設けられた開口部３ｕを介して露出している。また、前面３ａには、カメラ３１（カメラモジュール、撮像装置）を設けることができる。
【００２０】
また、本実施形態では、一例として、図２，４，８等に示されるように、筐体３の後面３ｂや側面３ｐには、電子部品１２（図８等参照）の冷却等に用いる空気を導入したり排出したりする通気口２２が設けられている。本実施形態では、一例として、後面３ｂ（壁部３ｍ）に、空気を導入する導入口２２ａが設けられ、側面３ｐ（壁部３ｎ、端部３ｄ）に、空気を排出する排出口２２ｂが設けられている。本実施形態では、導入口２２ａや排出口２２ｂは、壁部３ｍ，３ｎに設けられた複数の小孔２２ｃが集まった部分として設けられている。なお、後面３ｂには突出部３ｖが設けられている。よって、図５に示されるような後面３ｂが載置面Ｐ上に載せられた状態でも、導入口２２ａは塞がれない。また、本実施形態では、筐体３の薄い第一部３Ｂａと厚い第二部３Ｂｂとの境界部分に、傾斜部３Ｂｃが設けられている。そして、図４に示されるように、導入口２２ａのうちの一つの導入口２２ａ１が、傾斜部３Ｂｃの後面３ｂに設けられている。図５に示されるように、傾斜部３Ｂｃと載置面Ｐとの間の距離は、他の部分と載置面Ｐとの間の距離より大きくなるため、この傾斜部３Ｂｃに設けられた導入口２２ａ１については、空気の通流抵抗を減らしやすくなって、冷却効率をより高めやすくなる。また、本実施形態では、複数の導入口２２ａが設けられている。よって、一例としては、何らかの原因で一つの導入口２２ａが塞がれたような場合にあっても、他の導入口２２ａから空気流を筐体３内に導入することができ、冷却性能が損なわれにくくなる。なお、筐体３内は、冷却機構２３（図７，８等参照）によって冷却してもよいし、自然冷却（対流冷却）によって冷却してもよい。
【００２１】
本実施形態では、一例として、図６，８に示されるように、第一部材３Ｆｒと第三部材３Ｍｄとの間に、表示装置４（表示部、ディスプレイ、パネル）が収容されている。表示装置４の、前面３ａ側に位置した表示画面４ａは、開口部３ｒを介して筐体３の前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００２２】
また、本実施形態では、一例として、表示装置４の前側（表側、壁部３ｋ側）には、透明な比較的薄い矩形状の入力操作パネル５（一例としてはタッチパネル、タッチセンサ、操作面）が設けられている。入力操作パネル５は、表示画面４ａを覆っている。操作者（ユーザ等）は、例えば、手指や部品１６（スタイラス）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３の前方（外方）へ出る。入力操作パネル５は、入力部の一例である。
【００２３】
そして、本実施形態では、一例として、図６に示されるように、筐体３内には、表示装置４の後側（裏側、背後側、壁部３ｍ側、表示画面４ａとは反対側）、本実施形態では、一例として、第二部材３Ｒｒと第三部材３Ｍｄとの間に、複数の基板６，７，２５が収容されている。基板６，７，２５は、相異なる位置に配置され、いずれも、表示装置４と並行して設けられている。また、基板６，７，２５は、壁部３ｋ，３ｍ，３ｎ等と離間した状態で、すなわち、壁部３ｋ，３ｍ，３ｎ等との間に空間が形成された状態で、設けられている。基板６，７，２５は、表示装置４に沿って並べて配置され、筐体３の厚さ方向には重なり合わないことができる。また、基板６，７，２５は、ねじ等の固定具や突出部等（図示されず）によって、筐体３に固定されている。
【００２４】
また、本実施形態では、一例として、基板６（第一基板、第一回路基板、制御基板、メイン基板）には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の電子部品１２（図８参照、図８には一部のみ図示）を実装することができる。電子部品１２には、発熱体が含まれる。発熱量の大きな電子部品１２（発熱体）には、冷却機構２３を設けることができる。冷却機構２３は、ヒートシンク（受熱部、図示されず）、ヒートパイプ２３ａ、放熱部２３ｂ、ファン２４等を含んでいる。基板６および電子部品１２によって、制御回路（図示されず）の少なくとも一部が構成されている。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００２５】
また、本実施形態では、一例として、図３，４，７，８等からわかるように、基板６，７および冷却機構２３は、筐体３の厚い第二部３Ｂｂに位置されている。よって、一例としては、基板６，７および冷却機構２３が薄い第一部３Ｂａに位置された場合に比べて、空間をより広く確保しやすくなり、冷却機構２３のファン２４によって流される空気流による冷却効果が得られやすい。また、本実施形態では、一例として、ファン２４には、壁部３ｍの導入口２２ａ２（吸気口、吸入口、通気口）に面して重なった吸気口２４ａとその反対側（表示装置４側）の吸気口２４ａとが設けられるとともに、冷却機構２３の放熱部２３ｂに面した排気口２４ｂが設けられる。ファン２４の動作（回転）により、吸気口２４ａを介してファン２４内に導入され排気口２４ｂを介してファン２４外へ排出される空気流が形成される。また、排気口２４ｂよりファン２４外へ排出された空気流は、放熱部２３ｂに当たる。ファン２４および放熱部２３ｂは、規定された（制御された）使用状態で上側となる端部３ｃと端部３ｄとが接続される角部３ｇに設けられている。したがって、一例としては、テレビジョン受像機１の使用姿勢によらず、ファン２４および放熱部２３ｂを筐体３内の上側に配置することができる。よって、一例としては、熱が筐体３内に留まりにくくなる。なお、ファン２４および放熱部２３ｂは、排出口２２ｂに隣接して設けられている。
【００２６】
また、本実施形態では、一例として、基板７は、冷却機構２３との間で基板６を挟む位置（第二部３Ｂｂで基板７、基板６、および冷却機構２３の順に並ぶ位置）に設けられる。このような構成により、外部から吸気された空気が基板６の位置に到達する前に基板７に当たる。よって、一例としては、基板７の放熱効率が高くなりやすい。また、モジュール８Ａ，８Ｂが実装された基板７が、筐体３内の部品の中では比較的重量が大きく筐体３の中央に位置した基板６に対し、他の重量物である冷却機構２３と反対側に位置される。よって、一例としては、テレビジョン受像機１の重量バランスがより良くなる。よって、一例としては、ユーザは、テレビジョン受像機１を持ち運ぶ際に、より持ちやすい。
【００２７】
また、本実施形態では、一例として、図４，８等に示されるように、筐体３の壁部３ｍに、ファン２４に近い導入口２２ａ２と、基板６を挟んで導入口２２ａ２の反対側に位置した導入口２２ａ３と、導入口２２ａ２，２２ａ３より発熱体としての電子部品１２に近い導入口２２ａ１と、が設けられている。導入口２２ａ２が設けられたことで、筐体３内により効率良く空気流を流すことができる。また、導入口２２ａ３から導入された空気流Ｓは、基板６の後側の第二面６ｂに沿ってファン２４に向けて流れる空気流Ｓ２と、基板６のファン２４の反対側に位置した端部６ｃの外側を通過して（回り込んで、迂回して）基板６の前側の第一面６ａに沿ってファン２４に向けて流れる空気流Ｓ１と、に分けられる。よって、基板６の第一面６ａおよび第二面６ｂの両側に設けられた電子部品１２（発熱体）を冷却することができる。また、導入口２２ａ１は、発熱体としての電子部品１２に面している。よって、導入口２２ａ１から導入された空気流により、発熱体としての電子部品１２が冷却されやすい。
【００２８】
また、本実施形態では、一例として、図８に示されるように、基板７およびモジュール８Ａ，８Ｂは、表示装置４に沿って配置されている。また、基板２５には、電子部品１２が設けられている。また、図７に示されるように、筐体３内には、フレキシブルケーブル２７が収容されている。フレキシブルケーブル２７は、基板６，７，２５や、表示装置４、コネクタ１９等の間を、電気的に接続している。フレキシブルケーブル２７は、例えば、フレキシブルプリント配線板や、フラットケーブル等である。
【００２９】
また、図７に示されるように、筐体３内には、複数のアンテナ２６が収容されている。本実施形態では、一つの通信モジュール（例えば、モジュール８Ｂ、図８参照）に接続された複数のアンテナ２６が、相互に離間して配置されている。本実施形態では、一例として、一つのアンテナ２６は、筐体３の端部３ｄおよび端部３ｅの近傍（角部３ｈの近傍）に配置され、もう一つのアンテナ２６は、筐体３の端部３ｅおよび端部３ｆの近傍（角部３ｉの近傍）に配置されている。これにより、一例としては、アンテナ２６の空間ダイバーシティを構成することができる。なお、アンテナ２６とモジュール８Ｂとは、ケーブル２８を介して電気的に接続されている。なお、一方のアンテナ２６を送受信用とし、他方のアンテナ２６を受信専用とするなど、複数のアンテナ２６，２６で機能を分けることもできるし、一方のアンテナ２６を他方のアンテナ２６の予備として利用することもできる。
【００３０】
（スタンド）
本実施形態では、一例として、図９に示されるように、スタンド２は、第一部分２ａと、第二部分２ｂと、を有する。第一部分２ａは、載置面Ｐ上に載せられ、土台（台部、底部、下部、基礎部、基底、基底部、載部、脚部、脚、倒れ抑制部、抑制部）として機能する。第二部分２ｂは、第一部分２ａ（の底部）から載置面Ｐ上に突出し、テレビジョン受像機１の筐体３を所定の姿勢（位置）で保持する。すなわち、第二部分２ｂ（第一支持壁、第二支持部）は、保持部（起立部、縦部、上部、受部、持部、覆部、当接部、接触部、ガイド部）として機能する。第一部分２ａのうち筐体３が載置される領域は載置部２ａＦ（第一支持部）であり、第一部分２ａのうち第二部分２ｂについて載置部２ａＦとは反対側の領域は第二支持壁２ａＲ（第三支持部）である。なお、第一部分２ａと第二部分２ｂとは、部品として明確に分けられている必要は無く、部品の部位等であってもよい。また、本実施形態では、一例として、スタンド２は、第一部分２ａと第二部分２ｂとの間に位置され、第一部分２ａの上方かつ第二部分２ｂの後方に突出した突出部２ｃ（部分、第四支持部）を有する。この突出部２ｃは、部品を収容した部品収容部４１としての機能を有するとともに、第一部分２ａと第二部分２ｂとの間に介在して、第二部分２ｂを支持した支持部として機能している。スタンド２、第一部分２ａ、第二部分２ｂ、および突出部２ｃは、テレビジョン受像機１（電子機器）を支持する支持部の一例である。第一部分２ａ、第二部分２ｂ、および突出部２ｃは、種々のスペック（形状や、構造、数等）で具現化することができる。スタンド２は、当該スタンド２の所定位置（装着位置、保持位置、載置位置）に位置されたテレビジョン受像機１（電子機器）に、機械的ならびに電気的に接続される。
【００３１】
スタンド２は、装着されたテレビジョン受像機１（電子機器）に関する種々の機能を提供することができる。スタンド２は、例えば、表示画面４ａを起立させた状態で支持する（保持する）機能を有することができる。この場合、スタンド２は、表示画面４ａの角度（テレビジョン受像機１の姿勢）を可変設定する機能を有することができる。また、スタンド２は、例えば、テレビジョン受像機１の充電装置として機能することができる。この場合、スタンド２は、テレビジョン受像機１に対して電気的に接続された有線の充電装置として機能することができる他、非接触充電（ワイヤレス給電）を行う充電装置として機能することができる。この場合、非接触充電部は、一例としては、第二部分２ｂに設けられる。また、スタンド２は、例えば、テレビジョン受像機１に電気的に接続されるコネクタを増やすコネクタ部（コネクタ用ハブ、データや信号等の中継装置）として機能することができる。また、スタンド２は、例えば、テレビジョン受像機１のスピーカとして機能することができる。また、スタンド２は、例えば、テレビジョン受像機１の冷却機能を備えることもできる。その場合、一例としては、スタンド２の筐体４０内に通気経路やファン等が設けられ、通気経路を通る空気により、テレビジョン受像機１の冷却を補助あるいは促進することができる。また、通気経路は、テレビジョン受像機１の通気口２２と面した開口部を有することができる。また、一例としては、スタンド２は、テレビジョン受像機１に面した冷却部を有しても良い。また、スタンド２は、例えば、ＡＣアダプタの機能を備えることもできる。
【００３２】
また、本実施形態では、一例として、図１３，１４，１７，１８等に示されるように、スタンド２は、少なくとも部分的に中空構造を有する。スタンド２は、筐体４０を有し、筐体４０内に、基板４２Ａ，４２Ｂや、コネクタ４３，４４、電子部品４５、ハーネス４６等の各種部品の少なくとも一部が収容されている。筐体４０は、合成樹脂材料や金属材料（本実施形態では、一例として合成樹脂材料）で構成されることができる。また、本実施形態では、一例として、筐体４０内には、フレーム４７（枠部材、骨格部材、高剛性部材、剛性部材、強度部材、図１６等参照）が設けられている。フレーム４７は、金属材料や合成樹脂材料（本実施形態では、一例として、金属材料）で構成されることができる。コネクタ４３は、第二コネクタの一例である。また、本実施形態では、一例として、筐体４０の一部であり突出部２ｃとして構成された部品収容部４１には、基板４２Ｂおよび当該基板４２Ｂに設けられたコネクタ４４や電子部品４５等が収容されている。本実施形態では、基板４２Ａが第二基板の一例であり、基板４２Ｂが第一基板の一例である。また、コネクタ４４は、第三コネクタの一例である。
【００３３】
本実施形態では、一例として、図９〜１２に示されるように、第一部分２ａは、載置面Ｐに沿った側方視（図９の視線）では薄く、載置面Ｐと垂直な平面視では矩形状（台形状）の外観を呈し、載置面Ｐに沿う扁平な形状（板状、壁状）に構成されている。また、本実施形態では、一例として、第二部分２ｂは、第一部分２ａの端部２ａ２から垂直より後側（テレビジョン受像機１を装着した状態での後側、端部２ａ２の反対側の端部２ａ３側）へ僅かに倒れた方向に突出している。第二部分２ｂは、図９〜１４に示されるように、テレビジョン受像機１の筐体３の一端部（本実施形態では、一例として、端部３ｅ）の一部を、テレビジョン受像機１を所定位置（保持位置、保持領域）に装着する（挿入する）方向（本実施形態では、一例として上方）を除く各方向、すなわち、下方、後方、側方（左方および右方）、ならびに前方から囲う（覆う）ように保持する（支持する、持つ、支える）。また、端部３ｅ（図２，３参照）に沿った部分も、第二部分２ｂで覆うことができる。また、第二部分２ｂは、テレビジョン受像機１がスタンド２の所定位置に向けて移動する（スライドする、変位する、挿入される、装着される）際に、テレビジョン受像機１の筐体３を当該所定位置に案内するガイドとしても機能する。すなわち、第二部分２ｂは、案内部（ガイド部、スライド部、滑部）の一例である。本実施形態では、一例として、第二部分２ｂは、壁部２ｅ〜２ｈを有する。壁部２ｅ（第一壁、第一壁部、底壁部、下壁部）は、所定位置に保持された筐体３の下方に位置され、筐体３を下方から覆う。壁部２ｆ（第二壁、第二壁部、後壁部、背壁部）は、筐体３の後方に位置され、筐体３を後方（後側、後面側、背面側、背後側）から覆う。壁部２ｇ（第三壁、第三壁部、側壁部）は、筐体３の側方に位置され、筐体３を側方から覆う。壁部２ｈ（第四壁、第四壁部、前壁部）は、筐体３の前方に位置され、筐体３を前方から覆う。なお、壁部２ｅは、第一部分２ａの一部として構成することもできる。
【００３４】
また、本実施形態では、一例として、スタンド２は、テレビジョン受像機１（電子機器）の機能部分を露出させた状態で、あるいは機能部分がスタンド２の周囲と連通された状態で、テレビジョン受像機１を覆っている。一例として、本実施形態では、図１，１１に示されるように、テレビジョン受像機１の前方に対応して、第二部分２ｂには、開口部２ｉが設けられている。開口部２ｉは、切欠部や貫通孔等（本実施形態では、一例として切欠部）として設けることができる。すなわち、本実施形態では、テレビジョン受像機１がスタンド２に装着された姿勢で、筐体３の前面３ａの左右両側に位置する端部３ｄ，３ｆに沿った部分であって、表示画面４ａおよび開口部３ｒから外れた部分が、第二部分２ｂ（の壁部２ｈ）で覆われている。このような構成により、一例としては、表示画面４ａの視認性が確保されやすい。なお、筐体３の前面３ａの下側に位置する端部３ｅを覆う部材（例えば、第二部分２ｂ、第一部分２ａ、筐体４０の一部、筐体４０とは別の部材等）が設けられてもよい。
【００３５】
また、本実施形態では、一例として、スタンド２は、テレビジョン受像機１の筐体３に設けられた通気口２２が露出した状態で、テレビジョン受像機１を保持している。図２，４，５に示されるように、通気口２２は、筐体３の第二部３Ｂｂおよび傾斜部３Ｂｃに設けられている。そして、図１，９，１０からわかるように、通気口２２は、第二部分２ｂの各部の上側の端部２ｊ（第一端部、縁部、辺部）より上方に位置し、スタンド２に覆われず、露出している。よって、一例としては、通気口２２を通る空気（空気流）がスタンド２に妨げられるのが抑制されやすい。また、筐体３に設けられたコネクタ２１の開口部３ｕや、部品１６を収容した部品収容部１７の開口部１７ａ、操作部２０の開口部３ｕ等も露出している。よって、本実施形態では、一例としては、スタンド２によって開口部３ｕ，１７ａに対する部品１６や手指等の接近や操作が妨げられるのが抑制されやすい。また、上記構成により、筐体３中で発熱量の大きい領域の一例である筐体３の第二部３Ｂｂが、スタンド２から露出する。よって、一例としては、第二部３Ｂｂがスタンド２で覆われた場合に比べて、放熱性が大きくなりやすい。また、一例としては、冷却効率が高くなりやすい。
【００３６】
また、本実施形態では、一例として、図９，１１，１３に示されるように、筐体３を支持する壁部２ｆの面２ｋ（前面）には、突出部２ｍ，２ｎ（突起）が設けられている。具体的には、図１１に示されるように、複数（本実施形態では、一例として二つ）の突出部２ｍが、壁部２ｆの端部２ｊに沿って間隔をあけて配置されている。突出部２ｍは、筐体３のスタンド２への出入方向Ｉ（進退方向、挿入方向、着脱方向、装着方向）に沿って略一定の幅で延びている。また、図９に示されるように、突出部２ｍの外縁（端縁、前縁、先端、前端）は、壁部２ｆの法線方向に向けて凸となる形状に曲がっている。また、図１１に示されるように、複数（本実施形態では、一例として二つ）の突出部２ｎが、壁部２ｇとの端部に沿って位置されている。突出部２ｎは、筐体３のスタンド２への出入方向Ｉに沿って略一定の幅で延びている。また、図１３に示されるように、突出部２ｎの外縁（端縁、前縁、先端、前端）は、壁部２ｆの面２ｋに沿って当該面２ｋと並行して平面状に延びている。そして、突出部２ｍ，２ｎは、筐体３の後面３ｂ（面、第二面）に接触する。突出部２ｍ，２ｎは、筐体３のスタンド２への出入方向Ｉに沿って異なる位置で相互に離間して設けられるとともに、出入方向Ｉと直交する方向に沿って異なる位置で相互に離間して設けられている。よって、本実施形態によれば、一例としては、所定位置に位置されたテレビジョン受像機１の筐体３は、後方（後側、後面側、背面側、背後側）から複数の位置に相互に離間して配置された突出部２ｍ，２ｎによって、より安定的に支持される。また、突出部２ｍ，２ｎによって、図１３に示されるように、壁部２ｆの面２ｋと筐体３の後面３ｂとが離間され、面２ｋと後面３ｂとの間に隙間ｇ１が設けられる。よって、本実施形態では、一例としては、面２ｋと後面３ｂとの接触による摩擦力が増大してテレビジョン受像機１（電子機器）の筐体３がスタンド２に対して動きにくくなるのが、抑制される。また、一例としては、隙間ｇ１での空気流が確保されやすく、その分、冷却性能が高くなりやすい。また、本実施形態では、一例として、図１３に示されるように、壁部２ｈの裏側（後側、後面側、背面側、背後側）にも、突出部２ｐが設けられている。この突出部２ｐは、筐体３の前面３ａ（面、第一面）に接触する。筐体３の前面３ａと壁部２ｈの面２ｓ（裏面、後面）との間にも隙間ｇ３が設けられる。この突出部２ｐも、所定位置でのテレビジョン受像機１の筐体３のより安定的な保持に寄与することができる。
【００３７】
また、本実施形態では、一例として、図１１，１５に示されるように、壁部２ｅには開口部２ｒが設けられ、この開口部２ｒからコネクタ４３が露出し、かつ壁部２ｅ上に突出している。このコネクタ４３は、図１７，１８に示されるように、テレビジョン受像機１の筐体３の開口部３ｕから筐体３内へ入り、コネクタ１９に結合され、当該コネクタ１９と電気的に接続される。なお、コネクタ４３の側端部かつ先端部となる角部には、コネクタ１９との結合の際にガイドとなる突出部４３ａ（突起、ガイド）が設けられている。
【００３８】
本実施形態では、一例として、図１６〜１９に示されるように、コネクタ４３は、基板４２Ａに固定されている。また、本実施形態では、一例として、コネクタ４３および基板４２Ａは、図１６，１９に示されるように、筐体４０に、弾性部４８を介して支持されている。具体的に、弾性部４８は、弾性材料（例えば、金属材料や、合成樹脂材料、エラストマ等）を少なくとも一部（アーム部４８ａ）に含んで構成される。弾性部４８は、アーム部４８ａ（延部、吊部、接続部、亘部、架橋部、変位部、弾性変形部）と固定部４８ｂとを有する。アーム部４８ａは、コネクタ４３が固定された基板４２Ａと筐体４０に固定された固定部４８ｂとの間で亘っている。アーム部４８ａのスペック（材質、形状、方向、長さ、幅、高さ、厚さ、湾曲部分の曲率等）によって、弾性部４８の弾性力（弾性反発力）や、硬さ、変位量、差込力（装着する際の押力）等を可変設定することができる。アーム部４８ａは、一例としてはＳ字状に屈曲されている。また、固定部４８ｂは、筐体４０に、ねじ４９等の結合具によって結合されている。また、本実施形態では、一例として、コネクタ４３は、二つの弾性部４８によって両端支持されている。すなわち、コネクタ４３は、二つの弾性部４８に挟まれている。このような構成により、一例として、コネクタ４３は、片持ち支持された場合に比べて、より安定的に支持されやすい。また、本実施形態では、一例として、アーム部４８ａは、テレビジョン受像機１の筐体３のスタンド２への出入方向に沿った面を有した帯状かつ板状の部材であり、当該出入方向と交叉した方向（本実施形態では、一例として、直交する方向、直交する面）に沿って曲がっている。よって、アーム部４８ａは、出入方向と交叉した方向には変位しやすく、出入方向には変位しにくい。よって、本実施形態によれば、一例として、テレビジョン受像機１の筐体３が所定位置に対して出入方向と交叉した方向にずれた場合に、当該ずれに対応してコネクタ４３が移動しやすい。すなわち、弾性変位可能なコネクタ４３により、コネクタ１９の所定位置に対するずれを吸収しやすい。また、本実施形態によれば、一例として、出入方向に沿って移動するテレビジョン受像機１のコネクタ１９に対抗して、コネクタ４３をより強固に保持することができる。よって、一例としては、テレビジョン受像機１（電子機器）をスタンド２に着脱しやすい。すなわち、本実施形態によれば、方向によって弾性（剛性）の異なる弾性部４８（アーム部４８ａ）を設けたことで、一例としては、位置ずれの吸収しやすさ（対応しやすさ）と着脱しやすさとを両立しやすい。
【００３９】
また、本実施形態では、一例として、図１７に示されるように、筐体４０内には、テレビジョン受像機１（スタンド２が支持する電子機器）のコネクタ１９が接続されるコネクタ４３が設けられた基板４２Ａとは別に、当該コネクタ４３以外のコネクタ４４（例えば、電源コネクタ、映像信号用コネクタ（例えば、ＨＤＭＩコネクタ、Ｄ端子コネクタ、ＤＶ端子コネクタ等）、音声信号用コネクタ（例えば、フォーン端子コネクタ、ＤＩＮコネクタ等）、データ信号用コネクタ（例えば、ＵＳＢコネクタ、ＬＡＮコネクタ、ＲＳ−２３２Ｃコネクタ等）、電波用コネクタ（例えば、同軸ケーブルコネクタ等）、光ファイバコネクタ等）が設けられた基板４２Ｂが設けられている。すなわち、本実施形態では、一例として、筐体４０内には、複数（本実施形態では、一例として、二つ）の基板４２Ａ，４２Ｂが設けられている。基板４２Ｂは、基板４２Ａとは離間して位置される。本実施形態では、一例として、基板４２Ｂは、基板４２Ａより後方（表示画面４ａの反対側）に位置されている。また、基板４２Ａおよび基板４２Ｂは、高さ方向にも離間している。本実施形態では、一例として、基板４２Ｂは、基板４２Ａより高い（載置面Ｐより離れた）位置に設けられている。このように、複数の基板４２Ａ，４２Ｂを相互に離間して配置することで、一例としては、部品レイアウトの自由度が高まりやすくなり、一例としては、スタンド２をより小型に構成しやすくなる。また、一例としては、基板４２Ｂに設けられたコネクタ４４の位置を、基板４２Ａやコネクタ４３の位置によらずに設定することができ、一例としては、コネクタ４４に対する部品や手指等の接近や操作が妨げられるのが抑制されやすい等の効果が得られる。また、一例としては、コネクタ４４をより部品や手指等の接近や操作がより容易になる位置に設けることができる。
【００４０】
また、本実施形態では、一例として、図１６，１７に示されるように、基板４２Ｂならびに当該基板４２Ｂに設けられたコネクタ４４や電子部品４５等は、部品収容部４１（筐体４０）内で、シールド部材５０，５１（シールド部、覆部材、覆部、囲部材、カバー部材、遮蔽部材、導体、導電性部材）によって覆われている。具体的には、シールド部材５０は、複数の壁部５０ａ〜５０ｃを有し、シールド部材５１は、複数の壁部５１ａ〜５１ｃを有する。基板４２Ｂの面４２Ｂａ（第一面、上面）およびその反対側の面４２Ｂｂ（第二面、下面）は、載置面Ｐと並行して（本実施形態では、一例として、平行に）設けられている。壁部５０ａは、基板４２Ｂの面４２Ｂａ，４２Ｂｂと並行して（本実施形態では、一例として平行に）設けられ、基板４２Ｂを上方から覆う。壁部５０ｂは、壁部５０ａと交叉する方向（本実施形態では、一例として直交する方向）に延びて、基板４２Ｂを前方（テレビジョン受像機１側）から覆う。壁部５０ｃは、壁部５０ａ，５０ｂと交叉する方向（本実施形態では、一例として直交する方向）に延びて、基板４２Ｂを側方（テレビジョン受像機１の正面視で左右方向、図１６の左右側）から覆う。また、壁部５１ａは、基板４２Ｂの面４２Ｂｂと並行して（本実施形態では、一例として、平行に）設けられ、基板４２Ｂを下方から覆う。シールド部材５０，５１は、一例としては、導電性材料、磁性材料で構成される。このように、本実施形態では、一例として、基板４２Ｂならびに当該基板４２Ｂに設けられたコネクタ４４や電子部品４５等が、シールド部材５０，５１（の壁部５０ａ〜５０ｃおよび壁部５１ａ）によって覆われた。よって、一例としては、基板４２Ｂや、コネクタ４４、電子部品４５等に関わる回路で、電気信号に対するノイズ混入が抑制されやすく、電気信号に対する悪影響が抑制されやすい。また、シールド部材５０，５１により、一例としては、筐体４０の剛性が高くなりやすい。また、シールド部材５０は、箱状に設けられているため、一例としては、筐体４０の剛性がより一層高くなりやすい。また、本実施形態では、一例として、図１７に示されるように、シールド部材５１は、壁部５１ａと並行して（本実施形態では、一例として平行に）、壁部５１ａより載置面Ｐに近い位置（下方）に離間して設けられた壁部５１ｂと、壁部５１ａ，５１ｂと交叉する方向（本実施形態では、一例として直交する方向）に延びて壁部５１ａと壁部５１ｂとの間に亘る壁部５１ｃと、を有する。よって、本実施形態によれば、一例として、シールド部材５１によって、電気信号に対するノイズ混入がより一層抑制されやすく、一例としては、筐体４０の剛性がより一層高くなりやすい。また、本実施形態によれば、一例として、シールド部材５０，５１は、フレーム４７の一部としても機能することができる。また、本実施形態では、一例として、図１６に示されるように、シールド部材５０，５１とは別のフレーム４７は、壁部２ｆに沿って筐体４０内に設けられている。フレーム４７は、板状に構成され、複数の突出部４７ａ（骨格部）を有し、複数の貫通孔４７ｂが設けられている。これにより、一例として、フレーム４７をより軽量に構成できるとともに、筐体４０の剛性が高くなりやすい。なお、本実施形態では、一例として、フレーム４７は、導体（導電性材料）で構成されるとともに、フレーム４７およびシールド部材５０，５１は、電気的に接続され、グラウンド電位に設定されている。よって、本実施形態では、一例として、電気信号に対するノイズ混入がより一層抑制されやすい。フレーム４７は、シールド部材の一例である。シールド部材５０，５１はフレームの一例である。
【００４１】
また、本実施形態では、一例として、図１３，１６に示されるように、シールド部材５０，５１またはフレーム４７は、第二部分２ｂの壁部２ｇ，２ｈに対応する部分には設けられていない。また、壁部２ｇ，２ｈは、不導体（非導電性材料、一例としては合成樹脂材料等）によって構成される。スタンド２に装着された際、テレビジョン受像機１の、壁部２ｇ，２ｈに対応した部分には、アンテナ２６（図７参照）が位置される。よって、本実施形態によれば、一例として、シールド部材５０，５１またはフレーム４７によってアンテナ２６の通信性能が低下するのが抑制されやすい。すなわち、本実施形態では、一例として、アンテナ２６に対応した部分が、少なくとも一方側（本実施形態では、一例としてテレビジョン受像機１をスタンド２に装着した状態での表示画面４ａに対する正面視で前方かつ側方）では、電磁的に露出されている（導体で覆われていない）。
【００４２】
また、本実施形態では、一例として、図９，１０，１２，１７に示されるように、部品収容部４１は、上方に位置された壁部４１ａ（上壁、天壁、第一壁部）、背面視（正面視）で左右両側に位置された壁部（側壁、縦壁、立壁、起立壁、第二壁部）４１ｂ、後方（背後側）に位置された壁部４１ｃ（後壁、背壁、第二壁部）、を有する。壁部４１ｂは、部品収容部４１の側方の端部の一例である。また、壁部４１ｃは、部品収容部４１の後方の端部の一例である。
【００４３】
また、本実施形態では、一例として、図１０，１２，１７に示されるように、コネクタ４４は部品収容部４１（筐体４０）の壁部４１ｃの面４１ｄに設けられた開口部４１ｅから露出している。そして、本実施形態では、一例として、第一部分２ａの端部２ａ３が、壁部４１ｃ（面４１ｄ、端部）に対して、コネクタ４４の開放側（開口部４１ｅの開放側、開口側、本実施形態では、一例として後方）に離間している。すなわち、本実施形態では、一例として、第一部分２ａには、壁部４１ｃより後側に、壁部４１ｃから当該開放側に突出した突出部２ａ１（張出部、フランジ部、延部、周辺部、周縁部、底部、敷部、脚部、壁部）が設けられている。なお、突出部２ａ１は、本実施形態では、一例として、平板状に設けられているが、種々の形状に構成されることができる。例えば、突出部２ａ１は、帯状や、棒状、メッシュ状、環状等であってもよいし、切欠や貫通孔等の開口部や、凹凸部分が設けられることができる。また、本実施形態では、一例として、突出部２ａ１は、コネクタ４４に結合されるコネクタやケーブル（ハーネス、配線）等（図示されず）を下側から覆っている。すなわち、突出部２ａ１は、覆部（カバー部、保護部）の一例である。また、突出部２ａ１が壁部４１ｃから突出することで、コネクタ４４に結合されるコネクタやケーブル等に、他の物（壁や、機器、部品等）が当たるのが抑制される。すなわち、突出部２ａ１は、抑制部（保護部）の一例である。また、突出部２ａ１は、載置面Ｐ（図９参照）に沿って、後方に対して交叉する方向（本実施形態では、一例として、直交方向、正面視および背面視での左右方向）にも延びている。すなわち、突出部２ａ１は、壁部４１ｂから側方にも突出している。よって、一例としては、突出部２ａ１の上方に、コネクタやケーブルを通すスペース（領域）を確保しやすくなる。なお、突出部２ａ１には、ケーブルを引っ掛けたり、固定したりする機構（例えば、突出部、壁部、凹部、溝、係部、フック等）が設けられることができる。また、壁部４１ｂに、開口部４１ｅが設けられ、当該開口部４１ｅからコネクタ４４が露出されてもよい。
【００４４】
また、本実施形態では、一例として、図１７に示されるように、筐体４０の壁部４０ａ（底壁部、底部）が凹まされ（突出され）、載置面Ｐから離れる方向（上方）へ突出した突出部４０ｂ（凹部）が設けられている。そして、基板４２Ｂは、この突出部４０ｂに、ねじ等の結合具（図示されず）によって結合されている。よって、本実施形態によれば、一例としては、基板４２Ｂが載置面Ｐから離れた位置に設けられた構成を、より簡素な構成として得ることができる。また、突出部４０ｂによって、一例としては、筐体４０の剛性が高くなりやすい。
【００４５】
以上、説明したように、本実施形態では、一例として、図１０に示されるように、筐体３の壁部３ｍに設けられた通気口２２が、スタンド２の第二部分２ｂの端部２ｊよりも端部３ｃ側で露出している。よって、本実施形態によれば、一例としては、スタンド２によって筐体３をより確実に支持しながら、スタンド２に覆われず露出された通気口２２によって筐体３内で空気流が形成されやすい。また、本実施形態では、一例として、スタンド２の第二部分２ｂは載置面Ｐから筐体３の端部３ｃと端部３ｅ（図１等参照）との間の中間位置Ｍ（中央位置、図４，１０参照）または当該中間位置Ｍより端部３ｃ側まで（本実施形態では、一例として中間位置Ｍまで）延びている。よって、一例としては、スタンド２は、筐体３をより安定的に支持することができる。
【００４６】
また、本実施形態では、一例として、図１０に示されるように、壁部３ｍに、複数の通気口２２（本実施形態では、一例として導入口２２ａ）が端部３ｃに沿った方向の一端側（端部３ｄ側）と他端側（端部３ｆ側）とに離間されて設けられた。よって、本実施形態によれば、一例としては、複数の通気口２２を介して筐体３内のより広い範囲で空気流を形成することができる。よって、一例としては、空気流による冷却効果をより広い範囲で得ることができる。
【００４７】
また、本実施形態では、一例として、図８に示されるように、壁部３ｍに、複数の通気口２２（本実施形態では、一例として導入口２２ａ）が基板６を挟んで設けられた。よって、本実施形態によれば、一例としては、基板６の壁部３ｍとは反対側すなわち表示装置４側で、基板６の第一面６ａに沿って空気を流しやすい。よって、一例としては、空気流による冷却効果を、基板６の第一面６ａ側で得ることができる。
【００４８】
また、本実施形態では、一例として、図８に示されるように、筐体３内にファン２４が収容され、導入口２２ａ（通気口２２）と、ファン２４の吸気口２４ａの少なくとも一部とが重なった。よって、ファン２４の動作（回転）によって筐体３内により効率良く空気流を形成することができる。
【００４９】
また、本実施形態では、一例として、図８に示されるように、壁部３ｍに、基板６の少なくとも一部と重なった導入口２２ａ１（通気口２２）と、当該基板６から外れた導入口２２ａ２，２２ａ３（通気口２２）とが設けられた。よって、基板６に設けられた発熱体としての電子部品１２を冷却しやすくなるとともに、基板６の壁部３ｍとは反対側でも空気流を形成して当該空気流による冷却効果が得られやすい。
【００５０】
また、本実施形態では、一例として、図１７に示されるように、通気口２２のうち少なくとも一つ（導入口２２ａ１）が、第二部分２ｂ（スタンド２）に隙間ｇ１をあけて覆われた。よって、スタンド２で覆われた通気口２２（導入口２２ａ１）にあっても、隙間ｇ１を介してより効率良く空気を流すことができる。
【００５１】
また、本実施形態では、一例として、図１７に示されるように、壁部３ｍは表示画面４ａに対して傾斜部３Ｂｃを有し、当該傾斜部３Ｂｃに、通気口２２のうち少なくとも一つ（導入口２２ａ１）が設けられた。よって、図５に示されるように、筐体３が載置面Ｐ上に載置された状態にあっても傾斜部３Ｂｃを設けたことによって形成された載置面Ｐと後面３ｂ（壁部３ｍ）との間の隙間ｇ２を介して、通気口２２（導入口２２ａ１）により効率良く空気を流すことができる。
【００５２】
＜第１変形例＞
本変形例では、一例として、図２０に示されるように、スタンド２は開口部８０Ａを有する。開口部８０Ａが設けられた点以外、本変形例は、上記実施形態と同様である。開口部８０Ａは、一例として、筐体３の後面３ｂを覆う壁部２ｆの端部２ｊに切欠として設けられている。そして、開口部８０Ａによって、壁部３ｍに設けられた通気口２２が、表示画面４ａとは反対側に露出されている。よって、本変形例によれば、一例としては、スタンド２によって筐体３の支持剛性が確保されながら、筐体３内で空気流がより効率良く形成されやすい。
【００５３】
＜第２変形例＞
本変形例では、一例として、図２１に示されるように、スタンド２は、開口部８０Ｂを有する。開口部８０Ｂが設けられた点以外、本変形例は、上記実施形態と同様である。開口部８０Ｂは、一例として、筐体３の後面３ｂを覆う壁部２ｆに貫通孔として設けられている。そして、開口部８０Ｂによって、壁部３ｍに設けられた通気口２２が、表示画面４ａとは反対側に露出されている。よって、本変形例によれば、一例としては、スタンド２によって筐体３の支持剛性が確保されながら、筐体３内で空気流がより効率良く形成されやすい。
【００５４】
＜第３変形例＞
本変形例では、一例として、図２２に示されるように、スタンド２は、開口部８０Ｃを有する。開口部８０Ｃが設けられた点以外、本変形例は、上記実施形態と同様である。開口部８０Ｃは、一例として、筐体３の側面３ｐを覆う壁部２ｇの載置面Ｐから遠い側の端部２ｊ（縁）に、切欠として設けられている。そして、開口部８０Ｃによって、壁部３ｎ（側面３ｐ）に設けられた通気口２２が、表示画面４ａに沿った方向（側方）に露出されている。よって、本変形例によれば、一例としては、スタンド２によって筐体３の支持剛性が確保されながら、筐体３内で空気流がより効率良く形成されやすい。
【００５５】
＜第４変形例＞
本変形例では、一例として、図２３に示されるように、スタンド２は、開口部８０Ｄを有する。開口部８０Ｄが設けられた点以外、本変形例は、上記実施形態と同様である。開口部８０Ｄは、一例として、筐体３の前面３ａを覆う壁部２ｈの、開口部２ｉの縁に設けられている。そして、開口部８０Ｄによって、壁部３ｋ（前面３ａ）に設けられた通気口２２が、表示画面４ａの正面側に露出されている。よって、本変形例によれば、一例としては、スタンド２によって筐体３の支持剛性が確保されながら、筐体３内で空気流がより効率良く形成されやすい。
【００５６】
＜第５変形例＞
本変形例では、一例として、図２４に示されるように、スタンド２は、開口部８０Ｅを有する。スタンド２は、載置面Ｐ上に置かれる基部２ｔ（台部、下部）と、基部２ｔより正面視での幅が狭く基部２ｔから突出した突出部２ｕ（支持部、上部）と、を有し、突出部２ｕが筐体３を支持している。開口部８０Ｅは、基部２ｔと突出部２ｕとによって設けられている。そして、壁部３ｎ（側面３ｐ）に設けられた通気口２２が、開口部８０Ｅに臨んでいる。よって、本変形例によれば、一例としては、スタンド２によって筐体３の支持剛性が確保されながら、筐体３内で空気流がより効率良く形成されやすい。
【００５７】
＜第６変形例＞
本変形例では、一例として、図２５に示されるように、スタンド２の筐体４０内に開口部８０Ｆが設けられている。開口部８０Ｆは、筐体４０内で、筐体３の壁部３ｍに設けられた通気口２２（導入口２２ａ）に面した開口部８０Ｆａ（第一開口縁部）と、反対側の開口部８０Ｆｂ（４１ｅ、第二開口縁部）との間で延びている。開口部８０Ｆａは、一例としては、壁部２ｆに、スリット状あるいはメッシュ状の孔として設けることができる。よって、本変形例によれば、一例としては、スタンド２によって筐体３の支持剛性が高まりやすく、かつ筐体３内で空気流がより効率良く形成されやすい。また、本変形例は、スタンド２内に発熱体（例えば電子部品、電気部品等）が収容されている場合に、より有効である。
【００５８】
以上、本発明の実施形態および変形例について説明したが、上記実施形態や変形例は一例に過ぎない。本発明は上記実施形態や変形例には限定されず、種々の変形が可能である。例えば、本発明の特徴の一つは、コネクタを有さないスタンドとしても構成しうる。また、図示されないが、スタンドは、ワイヤレス給電方式によって、電子機器を充電することができる。その場合、一例としては、スタンドの壁部（第二部分、第一支持壁、第二支持部）に、コイルが装備（内蔵）される（埋め込まれる）。電子機器には、コイルに対応するコイルが装備（内蔵）される。これにより、コネクタを削除できる場合もある。また、本発明の特徴の一つは、排出口（排気口）に適用することも可能であるし、通気口以外の開口部（例えば、スピーカ用の開口部や、コネクタ用の開口部、ＬＥＤ等のランプ用の開口部、カメラ用の開口部等）に適用することも可能である。また、上記各実施形態や各変形例の技術的特徴は、適宜に組み合わせて実施することができる。また、各構成要素のスペック（構造や、種類、方向、形状、大きさ、長さ、幅、厚さ、高さ、数、配置、位置、材質等）は、適宜に変更して実施することができる。
【符号の説明】
【００５９】
１…テレビジョン受像機（電子機器）、２…スタンド、２ｊ…（他端部側の）端部、３…筐体、３Ｂｃ…傾斜部（傾斜した部分）、３ｃ…端部（他端部）、３ｄ…端部、３ｅ…端部（一端部）、３ｆ…端部、３ｍ…壁部、４…表示装置、４ａ…表示画面、６…基板（回路基板）、２２…通気口、２２ａ１，２２ａ２，２２ａ３…導入口（通気口）、２４…ファン、２４ａ…吸気口、２４ｂ…排気口、８０Ａ，８０Ｂ，８０Ｃ，８０Ｄ，８０Ｅ，８０Ｆ…開口部、８０Ｆａ…開口部（第一開口縁部）、８０Ｆｂ…開口部（第二開口縁部）、１００…テレビジョン受像機システム（電子機器システム）、ｇ１…隙間、Ｐ…載置面、Ｍ…中間位置。
【要約】
【課題】一例として、筐体を支持するスタンドによって、筐体に設けられた通気口での通気が抑制されにくいスタンドおよび電子機器を得る。
【解決手段】実施形態にかかるスタンドでは、筐体は、表示装置の表示画面とは反対側を覆うとともに、通気口が設けられた壁部を有した。第一コネクタは、筐体から一部が露出された。載置面部は、第一コネクタと第二コネクタとが電気的に接続された状態で、外部電子機器が載置された。支持部は、外部電子機器が載置面部に載置された場合に筐体の一端部が載置面に近い側に位置されるとともに筐体の他端部が載置面から遠い側に位置された状態に、外部電子機器の筐体の少なくとも表示画面とは反対側を支持した。支持部は、載置面部から一端部と他端部との中間位置または当該中間位置より他端部側の位置まで延び、壁部に、スタンドの他端部側の端部より他端部側で露出された通気口が設けられた。
【選択図】図１０【図１】
0005175968.tif 000002
【図２】
0005175968.tif 000003
【図３】
0005175968.tif 000004
【図４】
0005175968.tif 000005
【図５】
0005175968.tif 000006
【図６】
0005175968.tif 000007
【図７】
0005175968.tif 000008
【図８】
0005175968.tif 000009
【図９】
0005175968.tif 000010
【図１０】
0005175968.tif 000011
【図１１】
0005175968.tif 000012
【図１２】
0005175968.tif 000013
【図１３】
0005175968.tif 000014
【図１４】
0005175968.tif 000015
【図１５】
0005175968.tif 000016
【図１６】
0005175968.tif 000017
【図１７】
0005175968.tif 000018
【図１８】
0005175968.tif 000019
【図１９】
0005175968.tif 000020
【図２０】
0005175968.tif 000021
【図２１】
0005175968.tif 000022
【図２２】
0005175968.tif 000023
【図２３】
0005175968.tif 000024
【図２４】
0005175968.tif 000025
【図２５】
0005175968.tif 000026